(57)【要約】【課題】１つの露光ランプ及びインバータで必要光量の異なるシステムに使用でき、かつ無駄なエネルギの消費をなくす。【解決手段】露光ランプ２を点灯させるためのインバータ回路２０１と、インバータ回路２０１に入力される露光ランプ点灯信号及び前記露光ランプを点灯するためのパルスの点灯周波数を制御する点灯制御部とを有し、原稿を露光ランプ２で照射してその反射光をＣＣＤで受光し、原稿画像に対する電気信号を読み取る画像読み取り装置において、点灯周波数を変更することにより露光ランプ２の光量を変化させ、ＣＣＤの出力を変更する周波数演算部２０６を備えた。【選択図】図１２
2007081861.tif 000002
【特許請求の範囲】
【請求項１】
露光ランプを点灯させるためのインバータ回路と、前記インバータ回路に入力する露光ランプ点灯信号及び前記露光ランプを点灯するためのパルスの点灯周波数を制御する制御回路とを有し、原稿を露光ランプで照射してその反射光を光電変換素子で受光し、原稿画像に対する電気信号を読み取る画像読み取り装置において、
前記点灯周波数を変更することにより前記露光ランプの光量を変化させ、前記光電変換素子の出力を変更する周波数変更手段を備えていることを特徴とする画像読み取り装置。
【請求項２】
前記周波数変更手段は、前記露光ランプの最大光量での点灯の立ち上がり時には、最小光量での点灯周波数より低くすることを特徴とする請求項１記載の画像読み取り装置。
【請求項３】
前記周波数変更手段は、前記光電変換素子からのデータに基づいて前記点灯周波数を変更することを特徴とする請求項１記載の画像読み取り装置。
【請求項４】
前記周波数変更手段は、前記露光ランプの点灯立ち上がり時の前記光電変換素子からのデータが一定の出力になるように前記点灯周波数を変更することを特徴とする請求項１記載の画像読み取り装置。
【請求項５】
前記点灯周波数の変更は、複数の段階を経て行われることを特徴とする請求項１ないし４のいずれか１項に記載の画像読み取り装置。
【請求項６】
前記読み取りはライン単位で行われることを特徴とする請求項１ないし５のいずれか１項に記載の画像読み取り装置。
【請求項７】
請求項１ないし６のいずれか１項に記載の画像読み取り装置を備えていることを特徴とする画像形成装置。
【請求項８】
反射光を光電変換素子によって読み取るために原稿を照明する露光ランプを点灯させるインバータ回路に入力されるパルスの点灯周波数を制御する露光ランプの点灯制御方法において、
前記点灯周波数を変更することにより前記露光ランプの光量を変化させ、前記光電変換素子の出力を変更することを特徴とする露光ランプの点灯制御方法。
【発明の詳細な説明】
【技術分野】
【０００１】
本発明はインバータを使用した画像読み取り装置、この画像読み取り装置を備えた複写機あるいはファクシミリなどの画像形成装置、及び原稿を露光するための露光ランプの点灯制御方法に関する。
【背景技術】
【０００２】
従来の画像読み取り装置において各ラインの読み取り周期と光量制御周期ランプ点灯周期が非同期であるために、１ライン周期に対してランプ点灯周期が十分に小さくない場合には、１ライン周期の中に入るランプ点灯パルス数が各ライン毎にバラツキ、そのバラツキにより各ライン毎の積算光量に差が発生し、副走査方向に読み取り画像の色むらが発生していた。
【０００３】
そこで特許文献１記載の発明では、ランプに給電する給電装置のインバータの発振器を周波数可変発振器とし、その周波数可変発振器からの発振信号を外部同期信号に位相ロックするように周波数可変発振器を制御することにより、光量変動を伴うことなく誘電体バリア放電蛍光ランプを外部同期信号に同期させて発光させていた。
【０００４】
また、特許文献２記載の発明では、放電灯点灯装置において、複数の放電灯に対し相互に位相をずらした、また、位相のずれが等しい間隔となるように複数の放電灯に対する電圧を発生させていた。
【０００５】
また、従来の画像読み取り装置の照明装置は、装置システムの様々な読み取り速度、受光素子に対する必要光量に対し、各装置毎に固有照度の光源をカスタマイズで制作していた。そこで、例えば特許文献３及び４に開示されているように、ライン同期とランプ点灯／消灯の周期を一定にしたり、周波数を変えて調光したりしていた。
【特許文献１】特開２０００−３２３２９２号公報
【特許文献２】特開２００１−２７３９９６号公報
【特許文献３】特開平７−７４８９０号公報
【特許文献４】特開平１１−２６５０５５号公報
【発明の開示】
【発明が解決しようとする課題】
【０００６】
前述のように従来の画像読み取り装置の照明装置は、装置システムの様々な読み取り速度、受光素子に対する必要光量に対し、各装置毎に固有照度の光源をカスタマイズで制作していたことから、
１）モノクロとカラーといった読み取りモードによって異なる読み取り速度に対応することができなかったので、光電素子飽和を防ぐ目的で、速度の遅い（一般的にはカラー）に合わせた光学設計を行っていた。その結果、読み取り速度の早いシステムでは必要光量不足を生じて、Ｓ／Ｎの劣化が懸念された。  
２）必要光量の異なる装置システムで同じ光源（露光ランプ）を使用することができず、部品種類数の膨大が進み、部品管理が難しくなった。  
３）同じ光源（露光ランプ）を使う場合は、メカシェーディング板によって光量をカットして使用していたが、光電素子に対し過度な光を遮断するので、無駄なエネルギを消費していた。  
４）露光ランプの温度特性により低い光量で調整してあるランプを高い光量で点灯させると、必要光量に対しオーバーシュートが大きくなり、オーバーシュートが収まって光量が安定するまで時間がかかっていた。これにより、ランプ温度が一定になるまで照度が安定せず、１スキャン、スキャン毎の濃度ムラが発生する結果となっていた。  
という問題があった。
【０００７】
本発明は、このような従来技術の実情に鑑みてなされたもので、その目的は、１つの露光ランプ及びインバータで必要光量の異なるシステムに使用でき、かつ無駄なエネルギの消費をなくすことにある。
【課題を解決するための手段】
【０００８】
前記目的を達成するため、本発明は、インバータに入力するランプ点灯周波数をシステム側から変更することによって露光ランプの光量を調整できるようにした。  
また、立ち上がり時にランプ点灯周波数を低くすることによって、オーバーシュートを無し、早く安定光量にするようにした。  
さらに、光電変換素子の出力を見てランプ点灯周波数を制御することにより、必要な光電変換素子出力レベルが早く安定するようにした。
【０００９】
具体的には、本発明の第１の手段は、露光ランプを点灯させるためのインバータ回路と、前記インバータ回路に入力する露光ランプ点灯信号及び前記露光ランプを点灯するためのパルスの点灯周波数を制御する制御回路とを有し、原稿を露光ランプで照射してその反射光を光電変換素子で受光し、原稿画像に対する電気信号を読み取る画像読み取り装置において、前記点灯周波数を変更することにより前記露光ランプの光量を変化させ、前記光電変換素子の出力を変更する周波数変更手段を備えていることを特徴とする。
【００１０】
第２の手段は、第１の手段において、前記周波数変更手段が、前記露光ランプの最大光量での点灯の立ち上がり時には、最小光量での点灯周波数より低くすることを特徴とする。
【００１１】
第３の手段は、第１の手段において、前記周波数変更手段が、前記光電変換素子からのデータに基づいて前記点灯周波数を変更することを特徴とする。
【００１２】
第４の手段は、第１の手段において、前記周波数変更手段が、前記露光ランプの点灯立ち上がり時の前記光電変換素子からのデータが一定の出力になるように前記点灯周波数を変更することを特徴とする。
【００１３】
第５の手段は、第１ないし第４のいずれかの手段において、前記点灯周波数の変更が複数の段階を経て行われることを特徴とする。
【００１４】
第６の手段は、第１ないし第５のいずれかの手段において、前記読み取りがライン単位で行われることを特徴とする。
【００１５】
第７の手段は、第１ないし第６のいずれかの手段に係る画像読み取り装置を画像形成装置が備えていることを特徴とする。
【００１６】
第８の手段は、反射光を光電変換素子によって読み取るために原稿を照明する露光ランプを点灯させるインバータ回路に入力されるパルスの点灯周波数を制御する露光ランプの点灯制御方法において、前記点灯周波数を変更することにより前記露光ランプの光量を変化させ、前記光電変換素子の出力を変更することを特徴とする。
【００１７】
なお、後述の実施形態において、露光ランプは照明ランプ２，１３３に、インバータ回路はインバータ１３１，２０１に、制御回路は点灯制御部１３５に、光電変換素子はＣＣＤ１００に、周波数変更手段は周波数切り換え回路部２０５又は周波数演算回路部２０６にそれぞれ対応する。
【発明の効果】
【００１８】
本発明によれば、点灯周波数を変更することにより前記露光ランプの光量を変化させ、前記光電変換素子の出力を変更するので、１つの露光ランプ及びインバータで必要光量の異なるシステムに使用でき、かつ無駄なエネルギの消費をなくすことができる。
【発明を実施するための最良の形態】
【００１９】
以下、本発明の実施形態について図面を参照して説明する。
【００２０】
図１は本発明の実施形態に係るカラー画像読み取り装置の全体構成を示す図である。同図において、カラー画像読み取り装置は、スキャナＳＣと自動両面原稿搬送装置ＡＲＤＦから構成されている。スキャナＳＣは原稿を光学的に読み取る機能を有し、自動両面原稿搬送装置ＡＲＤＦはスキャナＳＣの原稿読み取り部に原稿を自動的に給送する機能を有する。また、自動両面原稿搬送装置ＡＲＤＦは自動的に原稿を反転させて原稿の両面をスキャナＳＣで読み取ることができるように原稿を搬送する機能も有する。
【００２１】
スキャナＳＣ自体は公知のものなので、動作とともに構成を簡単に説明する。このスキャナＳＣは、第１キャリッジ３１上に搭載された照明（露光）ランプ２及び第１ミラー３と、第２キャリッジ３２上に搭載された第２及び第３ミラー５，４と、レンズ１と、ＣＣＤが搭載されたＳＢＵ１０とを備え、シートスルー位置に固定された第１キャリッジ３１からの読み取り光をＣＣＤに導いて移動する原稿の画像情報を読み取り、また、第１及び第２キャリッジ３１，３２を２対１の走査速度で副走査方向に移動させて固定された原稿の原稿画像を読み取る。
【００２２】
具体的には、原稿台ガラス８上に置かれた原稿は照明ランプ２により照射され、第１ミラー３で反射光を受けて、原稿台下部を移動しながら走査される。走査は、第１及び第２キャリッジ３１，３２が副走査方向に移動しながら行われ、前記第１ミラー３で受けた原稿面からの反射光は第２及び第３ミラー５，４に導かれ、レンズ１によってＳＢＵ１０に搭載されたＣＣＤの結像面に入射し、電気信号に光電変換される。第１ミラー３、照明ランプ２及び第２ミラー５、第３ミラー４をそれぞれ搭載する第１及び２キャリッジ３１，３２は、走行体モータ９を駆動源として、キャリッジホーム位置から最大走査領域方向（図中、左右方向）に移動可能となっている。
【００２３】
一方、自動両面原稿搬送装置ＡＲＤＦでは、原稿台１１の原稿ガイド１２に沿って積載された原稿は、片面原稿読み取りを選択した場合には呼び出しコロ１４、給紙ベルト１６により搬送コロ１５、分離コロ１７、第１搬送ローラ１８によりＤＦ用原稿ガラス６と反射ガイド板２０との間の読み取り位置を経て、第２搬送ローラ２１及び排紙ローラ２３へ送り込まれ、原稿が排出される。ＤＦ用原稿ガラス６前にはレジストセンサ１９が配置されており、読み取り部への紙の進入先端や後端部のタイミングを検知できる。
【００２４】
一方、両面原稿読み取りを選択した場合には、まず原稿の表面の読み取りを前記片面原稿読み取りを選択した場合と同様に実施する。原稿の表面を読み取るときには、呼び出しコロ１４、給紙ベルト１６、搬送コロ１５、分離コロ１７、第１搬送ローラ１８によりＤＦ用原稿ガラス６と反射ガイド板２０との間の読み取り位置（シートスルー読み取り部）を経て、第２搬送ローラ２１及び排紙ローラ２３へと送り込まれる。そして、原稿を排出せずに、分岐爪２４が下方へ切り換えられて反転ローラ２５により反転テーブル２６上へ移送され、原稿の後端が排紙ローラ２３を抜けた後に分岐爪２４が上方へ切り換えられて一旦、反転ローラが停止する。
【００２５】
原稿の裏面の読み取りを実施するためには、一旦、停止していた反転ローラ２５を前記とは逆方向へ回転させることにより原稿が反転テーブル２６から第１搬送ローラ１８の方向へ搬送され、さらに第１搬送ローラ１８を経て表面と同様にＤＦ用原稿ガラス６と反射ガイド板２０との間の読み取り位置を経て、第２搬送ローラ２１及び排紙ローラ２３へ送り込まれ、その後、原稿が排出される。
【００２６】
原稿は、表面、裏面の読み取り共にＤＦ用原稿ガラス６と反射ガイド板２０との間の読み取り位置を通過する際に、読み取り位置の近傍に停止している第１キャリッジ３１上のた照明ランプ２により照射され、その反射光は、第１ミラー３及び一体に構成された第２ミラー５、第３ミラー４でレンズ１に導かれる。以下、原稿台１１に載置した原稿の場合と同様に光電変換される。
【００２７】
自動両面原稿搬送装置ＡＲＤＦの呼び出しコロ１４、給紙ベルト１６、搬送コロ１５、分離コロ１７の給紙機構は図示しない給紙モータにより駆動されている。また、第１搬送ローラ１８、第２搬送ローラ２１、排紙ローラ２３、反転ローラ２５の搬送機構は図示しない搬送モータにより駆動されている。さらに、自動両面原稿搬送装置ＡＲＤＦには原稿を検知するために原稿台１７へ原稿がセットされているか否かを検知するセットセンサ１３、原稿サイズを検知するための幅サイズ検知基板２８、原稿長さセンサ２９，３０、原稿の後端を検知するための原稿後端センサ２７が搭載されている。スキャナＳＣ本体にはスキャナＳＣ本体及び自動両面原稿搬送装置ＡＲＤＦを含めたカラー画像読み取り装置の動作制御を行うＳＣＵ７が搭載されている。
【００２８】
図２及び図３は本実施形態に係るカラー画像読み取り装置の全体的な構成を示すブロック図である。
【００２９】
図２において自動両面原稿搬送装置ＡＲＤＦは当該ＡＲＤＦ部に用いる電装部品の電力供給を中継する機能を有するＡＤＵ４２に、レジストセンサ１９．ＡＤＦリフトアップセンサ、原稿セットセンサ１３、ＡＤＦカバーオープンセンサ、排紙センサ２２、反転トレイセンサ、原稿幅サイズ検知センサ２８、原稿長サイズ検知センサ２９，３０、原稿後端検知センサ２７、給紙クラッチ、底板ソレノイド、反転ソレノイド、給紙／反転モータ、搬送モータなどが接続され、電源供給を受けている。
【００３０】
スキャナＳＣは、ＶＩＯＢ３３にＳＣＵ７、ＰＳＵ４４、ＳＢＵ１０、前記ＡＤＵ４２、原稿サイズセンサ（幅、長さ）２９，３０、ホームポジションセンサ、スキャナモータ９、ランプ安定器１１４、ＳＯＰ４３、ＳＷＢ、ＮＩＣ操作パネルなどが接続され、前記ＳＣＵ７にＯＩＰＵ３６、ＮＩＣ４１、ＩＳＩＣ４０等が接続されて構成されている。なお、ランプ安定器１１４には照明用のキセノンランプ２が接続されている。
【００３１】
図３に示すようにＳＢＵ１０上にはＣＣＤ１００が搭載され、ＣＣＤ１００に入光した原稿の反射光はＣＣＤ１００内で光の強度に応じた電圧値を持つアナログ信号に変換され、奇数ビットと偶数ビットに分かれて出力される。前記ＳＢＵ１０のアナログ画像信号は、ＶＩＯＢ３３上のアナログ処理回路１０１で暗電位部分が取り除かれ、奇数ビットと偶数ビットが合成される。そして、所定の振幅にゲイン調整された後にＡ／Ｄコンバータ１０２に入力されデジタル信号化される。
【００３２】
デジタル化された画像信号は、シェーディング部１０３でシェーディング補正され、ＶＩＯＢ３３からＳＣＵ７上のＩＰＵ（イメージプロセッシングユニット）１０４で、ガンマ補正、ＭＴＦ補正等の画像処理が行われた後、同期信号、画像クロックとともにビデオ信号として、画像データ記憶手段ＳＤＲＡＭ１０６を管理するメモリコントローラ１０５に入力され、ＳＤＲＡＭ１０６で構成される画像メモリに蓄えられる。
【００３３】
画像メモリＳＤＲＡＭ１０６に蓄えられた画像データは、外部Ｉ／Ｆドライバ１０７に送られ、パソコンやプリンタ等の外部出力装置１２０へ転送される。実施形態における外部Ｉ／ＦドライバはＳＣＳＩ，ＩＥＥＥ１３９４、ＬＡＮなどドライバやローカルＶｉｄｅｏ信号などを総称している。
【００３４】
ＳＣＵ（スキャナコントロールユニット）７上には、ＣＰＵ１０８、ＲＯＭ１０９、ＲＡＭ１１０、ＮＶＲＡＭ１１１、モータドライバ１１２が実装されており、ＣＰＵ１０８はスキャナ本体のステッピングモータである走行体モータ９、ＡＲＤＦの給紙モータ（図示せず）、搬送モータ（図示せず）のタイミング制御も行っている。
【００３５】
ＳＣＵ７上のＣＰＵ１０８に接続されている入力ポートは、ＶＩＯＢ３３を介して本体操作パネルＳＯＰ４３に接続されている。本体操作パネルＳＯＰ４３上にはスタートスイッチ（図示せず）と停止スイッチ（図示せず）が実装されている。それぞれのスイッチが押下されると入力ポートを介してＣＰＵはスイッチがＯＮされたことを検出する。
【００３６】
図４はインバータを使用したランプ点灯回路の回路構成を示す図である。同図において、同期点灯の場合には、各ラインの読み取り開始タイミングを規定するライン同期信号ＴＧ−ＩＮＶ１４２、クロック信号ＣＬＫ１４５、コントロール信号ＣＮＴ１４３及びゲート信号ＧＡＴＥ１４４を入力すると点灯制御部１３５は動作し、インバータ回路を制御する。インバータ回路１３１からの出力は昇圧トランス１３２を経由してランプ１３３に印加される。なおＣＮＴ１４３はランプのＯＮ／ＯＦＦ制御信号、ＧＡＴＥ信号１４４はランプ休止期間の制御信号、１３０は定電圧電源である。
【００３７】
図５は図４におけるインバータの回路構成の一例を示す図である。同図に示すようにランプＯＮ／ＯＦＦ制御信号ＣＮＴ１４３がＨｉｇｈレベルのとき、ＴＲ１がオンし、インバータ制御用ＩＣのＩＣ１に電力が供給される。ＩＣ１はスイッチング素子ＦＥＴ１を駆動するためのドライバを内蔵しておりクロック信号１４５に応じて所定の周期で発振し、発振パルスにより内蔵ドライバを駆動し、ドライバの出力によりスイッチング素子ＦＥＴ１が駆動される。駆動信号によりスイッチング素子ＦＥＴ１がＯＮになると、定電圧電源１３０→昇圧トランスの一次側巻線１３２→スイッチング素子ＦＥＴ１の経路で電流が流れ、昇圧トランス１３２にエネルギが蓄えられる。次にスイッチング素子ＦＥＴ１がＯＦＦになり、昇圧トランス１３２に流れていた電流が遮断されると、蓄えられていたエネルギが放出され、昇圧トランス１３２の一次側、二次側に急峻な立ち上がりを持つ電圧波形が発生する。この電圧波形は時間とともに減衰し、次にスイッチング素子ＦＥＴ１がオンになった後オフになると前記と同様に再び急峻な立ち上がりを持つ電圧波形が発生する。すなわちスイッチング素子ＦＥＴ１をオン／オフする毎に再び急峻な立ち上がりを持つ電圧波形が発生し、ランプ１３３に繰り返し電流が流れ、ランプ１３３が点灯し、光が放出される。またインバータ制御ＩＣ１は、ＧＡＴＥ信号１４４が入力される期間は出力を停止する。
【００３８】
なお、図４に示すようにインバータの外部から入力するクロック信号ＣＬＫ１４５に応じてインバータは所定の周期で発振する。クロック信号ＣＬＫ１４５をインバータ外部とすることによりＦＥＴ、トランス等のインバータ発熱部品から受ける熱の影響を軽減でき、発振精度を向上することができる。
【００３９】
制御信号のタイミングチャートを図６及び図７に示す。図６はランプＯＮ／ＯＦＦ信号ＣＮＴとライン同期信号ＴＧ−ＩＮＶのタイミングを示したもので、ランプＯＮ／ＯＦＦ信号ＣＮＴとは別に点灯周波数の位相同期をとる目的でライン同期信号ＴＧ−ＩＮＶを供給する。なおランプＯＮ／ＯＦＦ信号ＣＮＴとライン同期信号ＴＧ−ＩＮＶは非同期で供給し、ランプＯＮ／ＯＦＦ信号ＣＮＴのＯＮ，ＯＦＦは任意の時間とする。
【００４０】
図７はライン同期信号ＴＧ−ＩＮＶ、ＧＡＴＥ及びＣＬＫとインバータ出力光波形のタイミングを示したものである。図７に示すＴ１及びＴ２が休止期間で、必要原稿面照度に応じてこの休止期間を設けることにより１ライン当りの点灯パルス数を任意の値に設定することができる。図７においてＧＡＴＥ信号を制御し、ランプ休止期間の終了タイミング、ＣＬＫ信号を制御し、ランプ点灯パルス発生タイミングを切り換えることにより主走査方向のランプ点灯パルス発生タイミングを任意に制御することができる。
【００４１】
図８は本発明の実施形態におけるランプ点灯制御の制御回路の回路構成を示すブロック図、図９は図８の回路の動作手順を示すフローチャートである。図８に示した制御回路は、ランプ（光源）２、ランプ２を点灯するためのインバータ２０１、原稿画像を読み取るＣＣＤ１００、Ａ／Ｄ回路２０２、画像処理回路２０３、画像データ比較回路部２０４、及び周波数切り換え回路部２０５から基本的に構成されている。
【００４２】
図８の制御回路では、図９のフローチャートにも示すように図示しない本体制御部からのランプ点灯信号により、ランプ２をインバータ周波数ｆ１で点灯して（ステップＳ１０１）、ＣＣＤ１００で読み取る（ステップＳ１０２）。ＣＣＤ出力のＡ／Ｄ変換されたデジタルデータは、画像データ比較回路部２０４に入力され、入力された画像データは、予め設定してあるＣＣＤ出力目標値と比較される（ステップＳ１０３）。この比較で、目標値と画像データが等しくない場合は、再度ＣＣＤ１００の出力データを読み取る（ステップＳ１０３→ステップＳ１０２）。目標値と画像データが等しくなった場合は、インバータ２０１に入力されている周波数をｆ１→ｆ０へ変更して（ステップＳ１０４）から、コピー動作に入り（ステップＳ１０５）、コピー動作終了後ランプが消灯される（ステップＳ１０６）。コピー動作は画像処理部２０３で行われる。
【００４３】
従来のランプでは、ランプ立ち上がり時には、図１０に示すようにオーバーシュートが発生し、ＣＣＤ出力が一定になるまでに時間がかかっていたが、図９のフローチャートに示したように、ランプの点灯周波数を点灯時の周波数ｆ１と、目標値と一致した後の周波数ｆ０に切り換えることにより図１１に示すように、立ち上がり時のオーバーシュートをなくし、従来よりも早くＣＣＤ出力を安定させることができる。その際、露光ランプの最大光量での点灯の立ち上がり時には、後述の点灯周波数Δｆを、最大光量での点灯周波数より低くする。これにより照明ランプ２の立ち上がり時のオーバーシュートをなくし、早く照明ランプ２の光量を安定させることができる。
【００４４】
図１２は図８の制御回路の変形例を示すブロック図、図１３は図９の制御回路の動作手順を示すフローチャートである。この変形例は図８の周波数切り換え回路部２０５に代えて周波数演算回路部２０６としたものである。これにより、ＣＣＤ出力のＡ／Ｄ変換されたデジタルデータは、画像データ比較回路部２０４に入力され、入力された画像データは、予め設定してあるＣＣＤ出力目標値と比較され、目標値と画像データが等しくない場合は（ステップＳ１０３−ＮＯ）、目標値との差分を演算して、次段の周波数演算回路部２０６に送られる。周波数演算部２０６では、予めＲＯＭ１０９（図３参照）に格納されたプログラムに基づき、次の周波数を決定する。そして、ステップＳ１０２に戻り、前記決定された周波数で画像読み取りを行う。この動作を繰り返し、目標値が読み取り値に一致した時点でコピーを行う（ステップＳ１０３，Ｓ１０５）。その他、特に説明しない各部及び動作は前述の図８及び図９で説明した通りである。
【００４５】
ここで、画像データ比較部２０４と周波数演算部２０６について、もう少し詳しく説明する。  
点灯周波数と光源発光量は温度因子を除けば、
周波数増→光源発光量増
周波数減→光源発光量減
の関係がある。周波数変更を行う場合、予めＲＯＭ１０９にプログラムを格納しておく。図示しない濃度基準板（基準白板）を読み、Ａ／Ｄ変換された後の値の狙い値をα、実測値をβとする。α−βを演算し、狙い値に対する差分Δβを、
Δβ＝α−β
により求める。このΔβのテーブルを図１４に示す。テーブルには各Δβ（各数値は＊＊以上）に対する、選択すべき周波数変更量ΔｆＫＨｚが決められている。例えば、
Δβ＝−２６
であると、テーブル内Ｎｏ．２の−３０に対応する値、
Δｆ２＝−１５ＫＨｚ
を選択し、現在の点灯周波数がｆ＝１００ＫＨｚであると、
ｆ＋Δｆ２＝８５ＫＨｚ
となり、点灯周波数を減少し、減光することが可能である。
【００４６】
一方、
Δβ＝１５
であると、テーブル内Ｎｏ．６の１０に対応する値、
Δｆ６＝＋５ＫＨｚ
を選択する。
【００４７】
現在の点灯周波数がｆ＝１００ＫＨｚであると、
ｆ＋Δｆ２＝１０５ＫＨｚ
となり、点灯周波数を増加し、増光するすることが可能である。
【００４８】
周波数演算部で決定された結果に基づき、インバータに入力している周波数を変更し、インバータに送られランプ光量を変更し、再びＣＣＤからの画像データを確認すし、目標値と等しくなるまで、前記動作が繰り返される。目標値と画像データが等しくなった場合は、コピー動作に入り、コピー動作終了後ランプが消灯される。前記動作はランプ点灯時に行われる。
【００４９】
このように画像データ比較部２０４でＣＣＤ１００からのデータと比較し、周波数切り換え回路部２０４あるいは周波数演算部２０６においてインバータ２０１の点灯周波数を変更することによって照明ランプ２の光量変更に際して必要なＣＣＤ出力レベルを早く安定させることができる。同様に、露光ランプの点灯立ち上がり時のＣＣＤからのデータが一定の出力になるように、点灯周波数を変更することによって必要なＣＣＤ出力レベルを早く安定させることができる。
【００５０】
従来のランプでは、ランプ立ち上がり時には、図１０に示すようにオーバーシュートが発生し、ＣＣＤ出力が一定になるまでに時間がかかっていたが、前記フローチャートに示したように、ランプの点灯周波数を制御することによって図１５に示すように、立ち上がり時のオーバーシュートをなくし、従来よりも早くＣＣＤ出力を安定させることができる。また周波数の変更については、高い周波数から低い周波数への変更でも良いし、低い周波数から高い周波数へ変更するようにしても良い。なお、図１５に示すように照明ランプ２の立ち上がり時に数段階分割して点灯周波数を変更すれば、よりスムーズな光量変更を行うことができる。
【００５１】
以上のように、本実施形態によれば、
１）露光ランプ点灯時のインバータに入力しているパルスの周波数（点灯周波数）を制御回路部側から変更し、露光ランプの光量を変更することによってＣＣＤ出力を変えるので、同じ露光ランプ（インバータ含む）を使用して光量を可変できるようにすることができる。２）露光ランプの最大光量での点灯の立ち上がり時には、前記制御回路部からの点灯周波数を、最大光量での点灯パルス周波数より低くすることによって露光ランプ立ち上がり時のオーバーシュートをなくし、早く光量が安定するようにすることができる。  
３）ＣＣＤからのデータに基づいて、制御回路部側からの点灯周波数を変更することによって露光ランプの光量変更に際して必要なＣＣＤ出力レベルを早く安定させることができる。  
４）露光ランプの点灯立ち上がり時のＣＣＤからのデータが一定の出力になるように、点灯周波数を変更することによって必要なＣＣＤ出力レベルを早く安定させることができる。  
５）露光ランプ立ち上がり時に数段階分割して点灯周波数を変更することによってスムーズな光量変更を行うことができる。  
等の効果を奏する。
【図面の簡単な説明】
【００５２】
【図１】本発明の実施形態に係るカラー画像読み取り装置の全体構成を示す図である。
【図２】本実施形態に係るカラー画像読み取り装置の全体的な構成を示すブロック図である。
【図３】本実施形態に係るカラー画像読み取り装置のスキャナ部の構成を示すブロック図である。
【図４】インバータを使用したランプ点灯回路の回路構成を示す図である。
【図５】図４におけるインバータの回路構成の一例を示す図である。
【図６】ランプＯＮ／ＯＦＦ信号ＣＮＴとライン同期信号ＴＧ−ＩＮＶのタイミングを示すタイミングチャートである。
【図７】ライン同期信号ＴＧ−ＩＮＶ、ＧＡＴＥ及びＣＬＫとインバータ出力光波形のタイミングを示すタイミングチャートである。
【図８】本発明の実施形態におけるランプ点灯制御の制御回路の回路構成を示すブロック図である。
【図９】図８の回路の動作手順を示すフローチャートである。
【図１０】従来の露光ランプのランプ立ち上がり時の時間とＣＣＤ出力との関係を示す図である。
【図１１】本実施形態における露光ランプのランプ立ち上がり時の時間とＣＣＤ出力との関係を示す図である。
【図１２】図８の制御回路の変形例を示すブロック図である。
【図１３】図１２の制御回路の動作手順を示すフローチャートである。
【図１４】周波数変更を行う場合のΔβとΔｆとの関係を記憶したテーブルを示す図である。
【図１５】図１２の制御回路における露光ランプのランプ立ち上がり時の時間とＣＣＤ出力との関係を示す図である。
【符号の説明】
【００５３】
２，１３３  ランプ（光源）
７  ＳＣＵ
１０  ＳＢＵ
１００  ＣＣＤ
１０１  アナログ処理回路
１０２，２０２  Ａ／Ｄコンバータ
１０３  シェーディング部
１０４  ＩＰＵ
１０５  メモリコントローラ
１０６  ＳＤＲＡＭ
１０８  ＣＰＵ
１０９  ＲＯＭ
１１０  ＲＡＭ
１１１  ＮＶＲＡＭ
１３０  定電圧電源
１３１，２０１  インバータ
１３２  昇圧トランス
１３５  点灯制御部
２０３  画像処理部
２０４  画像データ比較部
２０５  周波数切り換え回路部
２０６  周波数演算回路部
【図１】
2007081861.tif 000003
【図２】
2007081861.tif 000004
【図３】
2007081861.tif 000005
【図４】
2007081861.tif 000006
【図５】
2007081861.tif 000007
【図６】
2007081861.tif 000008
【図７】
2007081861.tif 000009
【図８】
2007081861.tif 000010
【図９】
2007081861.tif 000011
【図１０】
2007081861.tif 000012
【図１１】
2007081861.tif 000013
【図１２】
2007081861.tif 000014
【図１３】
2007081861.tif 000015
【図１４】
2007081861.tif 000016
【図１５】
2007081861.tif 000017